(57)【要約】【課題】ケーブル敷設依頼からケーブル敷設の工事計画を立てるまでの時間を短縮することのできるケーブル敷設図作成装置を提供することを目的とする。【解決手段】地図情報読取手段が住所情報に関連する座標に基づいて当該座標を表す位置の地図を地図情報記憶手段より読み取り、表示物座標読取手段が地図が表す位置の座標に基づいてケーブルの位置を表す座標を地図上表示物記憶手段から読み取る。そしてケーブル敷設図作成手段が、地図が表す位置の座標とケーブルの位置を表す座標とに基づいて、地図上にケーブルを表示したケーブル敷設図を作成する。【選択図】  図１
2004333763.tif 000002
【特許請求の範囲】
【請求項１】
地図と当該地図が表す位置の座標と住所情報とを関連づけて記憶する地図情報記憶手段と、
ケーブルの位置を表す座標を記憶する地図上表示物記憶手段と、
受付けた住所情報に関連する座標に基づいて当該座標を表す位置の地図を前記地図情報記憶手段より読み取る地図情報読取手段と、
読み取った地図が表す位置の座標に基づいて前記ケーブルの位置を表す座標を前記地図上表示物記憶手段から読み取る表示物座標読取手段と、
前記読み取った地図が表す位置の座標と前記読み取ったケーブルの位置を表す座標とに基づいて、地図上にケーブルを表示したケーブル敷設図を作成するケーブル敷設図作成手段と
を備えることを特徴とするケーブル敷設図作成装置。
【請求項２】
前記地図上表示物記憶手段がクロージャの座標を記憶し、
前記表示物座標読取手段が前記クロージャの座標を読み取り、
前記ケーブル敷設図作成手段は前記地図上に前記クロージャを表示したケーブル敷設図を作成する
ことを特徴とする請求項１に記載のケーブル敷設図作成装置。
【請求項３】
前記地図上表示物記憶手段が電柱の座標を記憶し、
前記表示物座標読取手段が前記電柱の座標を読み取り、
前記ケーブル敷設図作成手段は前記地図上に前記電柱を表示したケーブル敷設図を作成する
ことを特徴とする請求項１または請求項２のいずれかに記載のケーブル敷設図作成装置。
【請求項４】
地図と当該地図が表す位置の座標と住所情報とを関連づけて記憶する地図情報記憶手段と、ケーブルの位置を表す座標を記憶する地図上表示物記憶手段とを備えたケーブル敷設図作成装置におけるケーブル敷設図作成方法であって、
受付けた住所情報に関連する座標に基づいて当該座標を表す位置の地図を前記地図情報記憶手段より読み取る地図情報読取過程と、
読み取った地図が表す位置の座標に基づいて前記ケーブルの位置を表す座標を前記地図上表示物記憶手段から読み取る表示物座標読取過程と、
前記読み取った地図が表す位置の座標と前記読み取ったケーブルの位置を表す座標とに基づいて、地図上にケーブルを表示したケーブル敷設図を作成するケーブル敷設図作成過程と
を含むことを特徴とするケーブル敷設図作成方法。
【請求項５】
地図と当該地図が表す位置の座標と住所情報とを関連づけて記憶する地図情報記憶手段と、ケーブルの位置を表す座標を記憶する地図上表示物記憶手段とを備えたケーブル敷設図作成装置のコンピュータに実行させるプログラムであって、
受付けた住所情報に関連する座標に基づいて当該座標を表す位置の地図を前記地図情報記憶手段より読み取る地図情報読取過程と、
読み取った地図が表す位置の座標に基づいて前記ケーブルの位置を表す座標を前記地図上表示物記憶手段から読み取る表示物座標読取過程と、
前記読み取った地図が表す位置の座標と前記読み取ったケーブルの位置を表す座標とに基づいて、地図上にケーブルを表示したケーブル敷設図を作成するケーブル敷設図作成過程と
の処理をコンピュータに実行させるプログラム。
【発明の詳細な説明】
【０００１】
【発明の属する技術分野】
この発明は、コンピュータシステムに係り、特に、ケーブル敷設図作成装置およびケーブル敷設図作成方法並びにそのプログラムに関するものである。
【０００２】
【従来の技術】
従来、電柱に共架されている光ファイバーケーブルなどのケーブルを、自宅まで引きたいというケーブル敷設依頼者からの要望があった場合には、まず調査会社が、ケーブル敷設依頼者の世帯付近の光ファイバーケーブルや電柱などの位置や光ファイバーケーブルの分岐接続点となるクロージャの位置を掲載しているケーブル敷設図を電力会社などから取り寄せる。そして、取り寄せたケーブル敷設図が正確か否かの現地調査を行なって、当該ケーブル敷設図が正確でない場合にはそのケーブル敷設図の正確でない部分の修正を行なっている。そして調査会社は、修正したケーブル敷設図を、敷設に必要なケーブルの長さなどを記載した工事計画書に添付し、当該工事計画書を元請会社などに収めている。
【０００３】
【発明が解決しようとする課題】
しかしながら、従来は、ケーブル敷設図の取り寄せに時間がかかり、また当該取り寄せたケーブル敷設図の修正を人手に頼っていたのでケーブル敷設図の修正作業に時間がかかっていた。これにより、修正後のケーブル敷設図を用いた工事計画を完了するまでに多くの時間を要していた。
そこでこの発明は、ケーブル敷設依頼からケーブル敷設の工事計画を立てるまでの時間を短縮することのできるケーブル敷設図作成装置およーブル敷設図作成方法並びにそのプログラムを提供することを目的としている。
【０００４】
【課題を解決するための手段】
本発明は、上述の課題を解決すべくなされたもので、地図と当該地図が表す位置の座標と住所情報とを関連づけて記憶する地図情報記憶手段と、ケーブルの位置を表す座標を記憶する地図上表示物記憶手段と、受付けた住所情報に関連する座標に基づいて当該座標を表す位置の地図を前記地図情報記憶手段より読み取る地図情報読取手段と、読み取った地図が表す位置の座標に基づいて前記ケーブルの位置を表す座標を前記地図上表示物記憶手段から読み取る表示物座標読取手段と、前記読み取った地図が表す位置の座標と前記読み取ったケーブルの位置を表す座標とに基づいて、地図上にケーブルを表示したケーブル敷設図を作成するケーブル敷設図作成手段とを備えることを特徴とするケーブル敷設図作成装置である。
【０００５】
上述の構成によれば本発明は、地図情報読取手段が住所情報に関連する座標に基づいて当該座標を表す位置の地図を地図情報記憶手段より読み取り、表示物座標読取手段が地図の表す位置の座標に基づいてケーブルの位置を表す座標を地図上表示物記憶手段から読み取る。そしてケーブル敷設図作成手段が、地図が表す位置の座標とケーブルの位置を表す座標とに基づいて、地図上にケーブルを表示したケーブル敷設図を作成する。
これにより、住所情報に基づいてその住所情報で特定される位置の地図にケーブルを表示したケーブル敷設図を作成できるので、人手により地図を作成してその地図上にケーブルを書き込むといった作業をする必要が無くなり、ケーブル敷設図の作成にかかる労力と時間を軽減することが出来る。また、調査会社の端末がケーブル敷設図作成装置にアクセスできれば、住所情報に基いてその住所情報で特定される位置の地図にケーブルを表示したケーブル敷設図を調査会社が直ちに取り寄せることが出来る。したがって、ケーブル敷設依頼からケーブル敷設の工事計画を立てるまでの時間を短縮できる。
【０００６】
また本発明は、上述のケーブル敷設図作成装置において、前記地図上表示物記憶手段がクロージャの座標を記憶し、前記表示物座標読取手段が前記クロージャの座標を読み取り、前記ケーブル敷設図作成手段は前記地図上に前記クロージャを表示したケーブル敷設図を作成することを特徴とする。これにより、住所情報に基づいてその住所情報で特定される位置の地図にクロージャを表示したケーブル敷設図を作成できるので、人手により地図を作成してその地図上にクロージャを書き込むといった作業をする必要が無くなり、ケーブル敷設図の作成にかかる労力と時間を軽減することが出来る。
【０００７】
また本発明は、上述のケーブル敷設図作成装置において、前記地図上表示物記憶手段が電柱の座標を記憶し、前記表示物座標読取手段が前記電柱の座標を読み取り、前記ケーブル敷設図作成手段は前記地図上に前記電柱を表示したケーブル敷設図を作成することを特徴とする。これにより、住所情報に基づいてその住所情報で特定される位置の地図に電柱を表示したケーブル敷設図を作成できるので、人手により地図を作成してその地図上に電柱を書き込むといった作業をする必要が無くなり、ケーブル敷設図の作成にかかる労力と時間を軽減することが出来る。
【０００８】
また本発明は、地図と当該地図が表す位置の座標と住所情報とを関連づけて記憶する地図情報記憶手段と、ケーブルの位置を表す座標を記憶する地図上表示物記憶手段とを備えたケーブル敷設図作成装置におけるケーブル敷設図作成方法であって、受付けた住所情報に関連する座標に基づいて当該座標を表す位置の地図を前記地図情報記憶手段より読み取る地図情報読取過程と、読み取った地図が表す位置の座標に基づいて前記ケーブルの位置を表す座標を前記地図上表示物記憶手段から読み取る表示物座標読取過程と、前記読み取った地図が表す位置の座標と前記読み取ったケーブルの位置を表す座標とに基づいて、地図上にケーブルを表示したケーブル敷設図を作成するケーブル敷設図作成過程とを含むことを特徴とするケーブル敷設図作成方法である。
【０００９】
また本発明は、地図と当該地図が表す位置の座標と住所情報とを関連づけて記憶する地図情報記憶手段と、ケーブルの位置を表す座標を記憶する地図上表示物記憶手段とを備えたケーブル敷設図作成装置のコンピュータに実行させるプログラムであって、受付けた住所情報に関連する座標に基づいて当該座標を表す位置の地図を前記地図情報記憶手段より読み取る地図情報読取過程と、読み取った地図が表す位置の座標に基づいて前記ケーブルの位置を表す座標を前記地図上表示物記憶手段から読み取る表示物座標読取過程と、前記読み取った地図が表す位置の座標と前記読み取ったケーブルの位置を表す座標とに基づいて、地図上にケーブルを表示したケーブル敷設図を作成するケーブル敷設図作成過程との処理をコンピュータに実行させるプログラムである。
【００１０】
【発明の実施の形態】
以下、本発明の一実施形態によるケーブル敷設図作成装置を図面を参照して説明する。
図１は、この発明の一実施形態によるケーブル敷設図作成装置の構成を示す概略ブロック図である。
この図において符号１はケーブル敷設図作成装置である。そしてケーブル敷設図作成装置１において符号１１は画一貫番号・座標対応テーブルと、地図データとを記憶する地図情報データベース（地図情報記憶手段）である。なお画一貫番号とは住所における番地までを表す情報である。ここで画一貫番号・座標対応テーブルは、例えば、画一貫番号毎と画一貫番号で表される番地の領域を決定する緯度・経度を対応付けたテーブルである。この番地の領域を決定する緯度・経度は、例えば、番地が長方形の領域である場合にはその長方方形の角の緯度・経度である。また地図データは例えば、地図上に緯線と経線が引かれている地図のデータである。
【００１１】
また１２は、電柱や地中に敷設済みの光ファイバーケーブルの位置を示す緯度・経度を保持するテーブルと、電柱の緯度・経度を保持するテーブルと、クロージャの緯度・経度を保持するテーブルとを記憶する地図上表示物データベース（地図上表示物記憶手段）である。なお光ファイバーケーブルの位置を示す緯度・経度のテーブルでは、例えば、光ファイバーケーブルの１０ｍ毎の緯度・経度を保持する。また電柱の緯度・経度を保持するテーブルは電柱の緯度・経度の一覧を保持する。またクロージャの緯度・経度を保持するテーブルはクロージャの緯度・経度の一覧を保持する。ここでクロージャとは、光ファイバーケーブルの延長接続点または分岐接続点となる光ファイバーケーブル接続用器具のことである。
【００１２】
また１３は、画一貫番号の入力を受付けて、当該受付けた画一貫番号に基づく地図データを地図情報データベース１１から読み取る地図情報読取部（地図情報読取手段）である。また１４は、地図データが表す位置の緯度・経度に基づいて、地図上表示物データベース１２から光ファイバーケーブルや電柱やクロージャの緯度・経度を読み取る地図上表示物座標読取手段（表示物座標読取手段）である。また１５は地図情報読取部１３が読み取った地図データが表す位置の緯度・経度と地図上表示物座標読取手段１４が読み取った光ファイバーケーブルや電柱やクロージャの緯度・経度とに基づいてケーブル敷設図を作成するケーブル敷設図作成部（ケーブル敷設図作成手段）である。また１６はケーブル敷設図作成部１５が作成したケーブル敷設図をモニタなどに表示するケーブル敷設図表示部である。
【００１３】
そして、ケーブル敷設図作成装置１は利用者から画一貫番号を受付けると、当該画一貫番号に対応する地図の位置に光ファイバーケーブルと電柱とクロージャとを表示したケーブル敷設図を後述の処理により作成する。そして、ケーブル敷設図作成装置１は作成したケーブル敷設図をモニタに表示する。なお、本実施形態においては、ケーブル敷設図作成装置１は、光ファイバーケーブルの敷設状況を調査するケーブル敷設会社が保持しており、ケーブル敷設会社の担当者がケーブル敷設図作成装置を操作する。
【００１４】
次に、ケーブル敷設図作成装置１がケーブル敷設図を作成する際の処理を順を追って説明する。
まず、ケーブル敷設会社の担当者は、光ファイバーケーブルの敷設の要望のあった世帯の画一貫番号を、ケーブル敷設図作成装置１に備えられたキーボードを用いて入力する。するとケーブル敷設図作成装置１の地図情報読取部１３が地図情報データベースの記憶する画一貫番号・座標対応テーブルから、画一貫番号に対応する緯度・経度を読み取る。そして地図情報読取部１３は読み取った緯度・経度を線で結んだ領域の地図データを、地図データに含まれる緯度・経度の情報より検出し地図情報データベースから読みとる。そして地図情報読取部１３は入力された画一貫番号で表される緯度・経度を地図上表示物座標読取部１４に通知する。また地図情報読取部１３は地図情報データベース１１から読み取った地図データをケーブル敷設図作成部１５に送信する。
【００１５】
次に地図上表示物座標読取部１４は、地図情報読取部１３から通知を受けた緯度・経度を線で結んだ領域内の緯度・経度が、地図上表示物データベース１２の記憶する光ファイバーケーブルの緯度・経度のテーブルや電柱の緯度・経度のテーブルやクロージャの緯度・経度のテーブルに存在するか否かを確認し、存在する場合には、それら光ファイバーケーブル、電柱、クロージャの緯度・経度を読み取る。そして、地図上表示物座標読取部１４は地図上表示物データベース１２から読み取った電柱の緯度・経度とクロージャの緯度・経度と光ファイバーケーブルの位置する緯度・経度をケーブル敷設図作成部１５に通知する。
【００１６】
次にケーブル敷設図作成部１５は、地図上表示物座標読取部１４から光ファイバーケーブルと電柱とクロージャの位置する緯度・経度を受付けて、地図データが表す地図における当該緯度・経度に、光ファイバーケーブルや電柱やクロージャーのマークを表示させたケーブル敷設図を作成する。そしてケーブル敷設図作成部１５は作成したケーブル敷設図をケーブル敷設図表示部１６に渡し、ケーブル敷設図表示部１６がケーブル敷設図をモニタに表示する。図２はケーブル敷設図のイメージを示す図である。そしてこの図が示すように、ケーブル敷設図には、光ファイバーケーブルや電柱やクロージャなどのマークが地図に表示されている。
【００１７】
なお、地図上表示物データベース１２は、光ファイバーケーブル、電柱、クロージャだけでなく、ケーブルの敷設に必要や装置や他の種類のケーブルの緯度・経度を記憶しておくようにしてもよい。そして、ケーブル敷設図作成部１５が光ファイバーケーブル、電柱、クロージャ以外の地図上表示物の緯度・経度に基づいてそれぞれのマークを地図上に表示したケーブル敷設図を作成してもよい。またケーブル敷設図作成部１５は光ファイバーケーブルやケーブルの敷設に必要な装置のマークを異なるマークや色にして地図上に表示するようにする。
【００１８】
またケーブル敷設図作成装置１は、光ファイバーケーブルの敷設を希望する世帯ごとにケーブル敷設図を作成して、各世帯主毎にケーブル敷設図を記憶して管理するようにする。また、ケーブル敷設図作成装置１は、ケーブル敷設図に、例えばクロージャの地点から、敷設を希望する世帯の地点までの距離を表示する欄や、敷設に必要な光ファイバーケーブルの距離を表示する欄などを表示させるようにしても良い。また、ケーブル敷設図に光ファイバーケーブルを敷設する工事日程や工事完了状況の情報を表示するような欄を設けるようにしても良い。これにより、世帯ごとの光ファイバーケーブルの敷設工事の進捗状況や、必要な光ファイバーケーブルの長さを把握することが出来るようになる。またケーブル敷設図作成装置１はクロージャに接続できる光ファイバーケーブルの数量（空き回線数）などを記憶するデータベースを備えるようにして、ケーブル敷設図作成部１５が、クロージャ毎の空き回線数を表示した欄をケーブル敷設図に表示させるようにしても良い。
【００１９】
また、ケーブル敷設会社の担当者は、新たに敷設された光ファイバーケーブルやクロージャの緯度・経度の情報をケーブル敷設図作成装置１に入力し、地図上表示物データベース１２に記録させておく。これにより、新しく敷設されたケーブルをケーブル敷設図に表示させることが出来る。
【００２０】
なお、ケーブル敷設図作成装置１をケーブル敷設会社ではなく、ケーブル敷設図管理センターなどをに設置し、通信ネットワークを介して多数のケーブル敷設会社やケーブル敷設状況の調査会社の端末と接続すれば、ケーブル敷設図管理センターは、ケーブル敷設会社や調査会社からの要望に基づいて、ケーブル敷設図のデータをケーブル敷設会社や調査会社へ送信することができる。
【００２１】
なお、上述のケーブル敷設図作成装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２２】
【発明の効果】
以上説明したように、この発明によれば、地図情報読取手段が住所情報に関連する座標に基づいて当該座標を表す位置の地図を地図情報記憶手段より読み取り、表示物座標読取手段が地図が表す位置の座標に基づいてケーブルの位置を表す座標を地図上表示物記憶手段から読み取る。そしてケーブル敷設図作成手段が、地図が表す位置の座標とケーブルの位置を表す座標とに基づいて、地図上にケーブルを表示したケーブル敷設図を作成する。
これにより、住所情報に基づいてその住所情報で特定される位置の地図にケーブルを表示したケーブル敷設図を作成できるので、人手により地図を作成してその地図上にケーブルを書き込むといった作業をする必要が無くなり、ケーブル敷設図の作成にかかる労力と時間を軽減することが出来る。また、調査会社の端末がケーブル敷設図作成装置にアクセスできれば、住所情報に基いてその住所情報で特定される位置の地図にケーブルを表示したケーブル敷設図を調査会社が直ちに取り寄せることが出来る。したがって、ケーブル敷設依頼からケーブル敷設の工事計画を立てるまでの時間を短縮できる。
【００２３】
また本発明によれば、住所情報に基づいてその住所情報で特定される位置の地図にクロージャを表示したケーブル敷設図を作成できるので、人手により地図を作成してその地図上にクロージャを書き込むといった作業をする必要が無くなり、ケーブル敷設図の作成にかかる労力と時間を軽減することが出来る。
また本発明によれば、これにより、住所情報に基づいてその住所情報で特定される位置の地図に電柱を表示したケーブル敷設図を作成できるので、人手により地図を作成してその地図上に電柱を書き込むといった作業をする必要が無くなり、ケーブル敷設図の作成にかかる労力と時間を軽減することが出来る。
【図面の簡単な説明】
【図１】この発明の一実施形態によるケーブル敷設図作成装置の構成を示す概略ブロック図である。
【図２】本発明によるケーブル敷設図のイメージを示す図である。
【符号の説明】
１  ケーブル敷設図作成装置
１１  地図情報データベース
１２  地図上表示物データベース
１３  地図情報読取部
１４  地図上表示物座標読取部
１５  ケーブル敷設図作成部
１６  ケーブル敷設図表示部
【図１】
2004333763.tif 000003
【図２】
2004333763.tif 000004